(57)【要約】【課題】放熱性に優れるリアクトルを提供する。【解決手段】巻回部を有するコイルと、磁性コアと、巻回部の両端に配置される保持部材と、コイルと保持部材とを一体化するモールド樹脂部と、コイル、磁性コア及び保持部材を含む組合体を収納するケースと、ケース内に充填され、組合体の少なくとも一部を封止するポッティング樹脂部と、を備え、磁性コアは、内側コア部と外側コア部とを有し、ポッティング樹脂部の熱伝導率はモールド樹脂部の熱伝導率よりも高く、モールド樹脂部は、互いに一体に構成された第一領域と第二領域とを備え、第一領域は、巻回部の内周面の少なくとも一部を覆い、第二領域は、保持部材が巻回部の端面から離れないように保持部材に引っ掛けられ、巻回部と内側コア部との間に第一領域とポッティング樹脂部とが併存している、リアクトル。【選択図】図２
2020194923.tif 000002
【特許請求の範囲】
【請求項１】
巻回部を有するコイルと、
磁性コアと、
前記巻回部の両端に配置される保持部材と、
前記コイルと前記保持部材とを一体化するモールド樹脂部と、
前記コイル、前記磁性コア及び前記保持部材を含む組合体を収納するケースと、
前記ケース内に充填され、前記組合体の少なくとも一部を封止するポッティング樹脂部と、を備え、
前記磁性コアは、
前記巻回部の内側に配置される内側コア部と、
前記巻回部の外側に配置される外側コア部と、を有し、
前記ポッティング樹脂部の熱伝導率は前記モールド樹脂部の熱伝導率よりも高く、
前記モールド樹脂部は、互いに一体に構成された第一領域と第二領域とを備え、
前記第一領域は、前記巻回部の内周面の少なくとも一部を覆い、
前記第二領域は、前記保持部材が前記巻回部の端面から離れないように前記保持部材に引っ掛けられ、
前記巻回部と前記内側コア部との間に、前記第一領域と前記ポッティング樹脂部とが併存している、
リアクトル。
【請求項２】
前記第一領域は、前記巻回部の内周面の全周を覆い、
前記巻回部の軸方向に直交する断面において、前記巻回部と前記内側コア部との間に前記ポッティング樹脂部と前記第一領域とが積層状態で存在する請求項１に記載のリアクトル。
【請求項３】
前記巻回部の軸方向に直交する断面において、
前記第一領域は、前記巻回部と前記内側コア部との間の周方向の一部に存在し、
前記ポッティング樹脂部は、前記巻回部と前記内側コア部との間の周方向の残部に存在する請求項１に記載のリアクトル。
【請求項４】
前記巻回部の外周面は、前記モールド樹脂部に覆われずに露出されている請求項１から請求項３のいずれか１項に記載のリアクトル。
【請求項５】
前記内側コア及び前記外側コア部の少なくとも一方は、軟磁性粉末を含む圧粉成形体、又は、軟磁性粉末が樹脂中に分散された複合材料で構成されている請求項１から請求項４のいずれか１項に記載のリアクトル。
【発明の詳細な説明】
【技術分野】
【０００１】
本開示は、リアクトルに関する。
【背景技術】
【０００２】
特許文献１は、巻回部を有するコイルと、巻回部の内外に配置されて閉磁路を形成する磁性コアと、巻回部の端面と外側コア部との間に介在される端面介在部材とを備えるリアクトルを開示する。上記磁性コアは、巻回部の内部に配置される内側コア部と、巻回部の外部に配置される外側コア部とを有する。また、特許文献１に記載のリアクトルは、巻回部の内周面と内側コア部の外周面との間に充填される内側樹脂部を備える。内側樹脂部は射出成形により樹脂をモールドして形成することが記載されている。
【先行技術文献】
【特許文献】
【０００３】
【特許文献１】特開２０１７−２８１４２号公報
【発明の概要】
【発明が解決しようとする課題】
【０００４】
リアクトルの放熱性の更なる向上が望まれている。
車載用コンバータに利用されるリアクトルにおいて、より大電流で使用することが要求されている。リアクトルに大電流を流すと、コイルだけでなく磁性コアの発熱量も増大する。特に、磁性コアのうち内側コア部は、コイルの巻回部の内側に配置されるため、内側コア部の熱は放熱され難い。そのため、内側コア部は、熱が蓄積し易く高温になり易い。よって、内側コア部の放熱性を改善することが望まれる。
【０００５】
特許文献１に記載される従来のリアクトルは、巻回部と内側コア部との間に内側樹脂部（以下、「モールド樹脂部」という）が充填されている。そのため、内側コア部からの熱は、モールド樹脂部を介して巻回部に伝えられることになる。つまり、内側コア部の放熱経路は、内側コア部→モールド樹脂部→巻回部となる。一般に、モールド樹脂部は、比較的熱伝導率が低い（熱抵抗が大きい）ので、内側コア部で発生した熱を巻回部に効率よく伝え難い。
【０００６】
そこで、本開示は、放熱性に優れるリアクトルを提供することを目的の一つとする。
【課題を解決するための手段】
【０００７】
本開示のリアクトルは、
巻回部を有するコイルと、
磁性コアと、
前記巻回部の両端に配置される保持部材と、
前記コイルと前記保持部材とを一体化するモールド樹脂部と、
前記コイル、前記磁性コア及び前記保持部材を含む組合体を収納するケースと、
前記ケース内に充填され、前記組合体の少なくとも一部を封止するポッティング樹脂部と、を備え、
前記磁性コアは、
前記巻回部の内側に配置される内側コア部と、
前記巻回部の外側に配置される外側コア部と、を有し、
前記ポッティング樹脂部の熱伝導率は前記モールド樹脂部の熱伝導率よりも高く、
前記モールド樹脂部は、互いに一体に構成された第一領域と第二領域とを備え、
前記第一領域は、前記巻回部の内周面の少なくとも一部を覆い、
前記第二領域は、前記保持部材が前記巻回部の端面から離れないように前記保持部材に引っ掛けられ、
前記巻回部と前記内側コア部との間に、前記第一領域と前記ポッティング樹脂部とが併存している。
【発明の効果】
【０００８】
本開示のリアクトルは、放熱性に優れる。
【図面の簡単な説明】
【０００９】
【図１】図１は、実施形態１に係るリアクトルの概略斜視図である。
【図２】図２は、図１に示す（ＩＩ）−（ＩＩ）線で切断した概略横断面図である。
【図３】図３は、図１に示す（ＩＩＩ）−（ＩＩＩ）線で切断した概略縦断面図である。
【図４】図４は、組合体の概略分解図である。
【図５】図５は、コイル部品の概略分解図である。
【図６】図６は、コイル部品と内側コア部との組物を巻回部の端面側から見た概略図である。
【図７】図７は、組合体の概略正面図である。
【図８】図８は、実施形態２に係るリアクトルの概略横断面図である。
【発明を実施するための形態】
【００１０】
［本開示の実施形態の説明］
最初に本開示の実施態様を列記して説明する。
【００１１】
（１）本開示の実施形態に係るリアクトルは、
巻回部を有するコイルと、
磁性コアと、
前記巻回部の両端に配置される保持部材と、
前記コイルと前記保持部材とを一体化するモールド樹脂部と、
前記コイル、前記磁性コア及び前記保持部材を含む組合体を収納するケースと、
前記ケース内に充填され、前記組合体の少なくとも一部を封止するポッティング樹脂部と、を備え、
前記磁性コアは、
前記巻回部の内側に配置される内側コア部と、
前記巻回部の外側に配置される外側コア部と、を有し、
前記ポッティング樹脂部の熱伝導率は前記モールド樹脂部の熱伝導率よりも高く、
前記モールド樹脂部は、互いに一体に構成された第一領域と第二領域とを備え、
前記第一領域は、前記巻回部の内周面の少なくとも一部を覆い、
前記第二領域は、前記保持部材が前記巻回部の端面から離れないように前記保持部材に引っ掛けられ、
前記巻回部と前記内側コア部との間に、前記第一領域と前記ポッティング樹脂部とが併存している。
【００１２】
本開示のリアクトルは、巻回部と内側コア部との間にモールド樹脂部の第一領域とポッティング樹脂部とが併存する。ポッティング樹脂部はモールド樹脂部（第一領域）に比べて熱伝導率が高い。そのため、本開示のリアクトルは、巻回部と内側コア部との間にモールド樹脂部のみが介在する場合に比較して、内側コア部の熱を巻回部に効率よく伝えることができる。つまり、内側コア部の放熱性を改善することができる。よって、本開示のリアクトルは放熱性に優れる。
【００１３】
本開示のリアクトルは、コイルと保持部材とがモールド樹脂部によって一体化されている。そのため、コイルと保持部材とを一体物として取り扱うことができるので、コイルに磁性コア（内側コア部及び外側コア部）を組み付ける作業が行い易い。また、コイルと保持部材とが一体化されていることで、ケース内に組合体を収納するとき、組合体を安定して配置できる。よって、本開示のリアクトルは組立性に優れる。
【００１４】
また、モールド樹脂部は、巻回部の内周面の少なくとも一部を覆う第一領域と、保持部材が巻回部の端面から離れないように保持部材に引っ掛けられる第二領域とを備える。第一領域と第二領域とが互いに一体に構成されることにより、モールド樹脂部によって巻回部と保持部材とが機械的に結合されている。よって、コイルから保持部材が外れ難い。
【００１５】
（２）上記リアクトルの一形態として、
前記第一領域は、前記巻回部の内周面の全周を覆い、
前記巻回部の軸方向に直交する断面において、前記巻回部と前記内側コア部との間に前記ポッティング樹脂部と前記第一領域とが積層状態で存在することが挙げられる。
【００１６】
上記形態は、巻回部と内側コア部との間にポッティング樹脂部と第一領域とが積層状態で介在する。つまり、ポッティング樹脂部とモールド樹脂部との２層構造になっている。この場合、内側コア部の放熱経路は、内側コア部→ポッティング樹脂部→モールド樹脂部（第一領域）→巻回部となる。そのため、上記形態は、巻回部と内側コア部との間にモールド樹脂部のみが介在する場合に比較して、内側コア部の熱を巻回部に効率よく伝えることができる。よって、上記形態は放熱性に優れる。
【００１７】
また、上記形態は、第一領域が巻回部の内周面の全周を覆うように設けられている。そのため、第一領域と巻回部の内周面との接触面積が増えるので、第一領域と巻回部との接合強度が高くなる。よって、上記形態は、モールド樹脂部によって巻回部と保持部材とをより強固に結合することが可能である。
【００１８】
（３）上記リアクトルの一形態として、
前記巻回部の軸方向に直交する断面において、
前記第一領域は、前記巻回部と前記内側コア部との間の周方向の一部に存在し、
前記ポッティング樹脂部は、前記巻回部と前記内側コア部との間の周方向の残部に存在することが挙げられる。
【００１９】
上記形態は、巻回部と内側コア部との間の周方向の一部に第一領域が介在する。そのため、巻回部と内側コア部との間にポッティング樹脂部と第一領域とが積層状態で介在する場合に比較して、第一領域が厚くなる。第一領域の厚みが厚くなる分、第一領域の剛性が高くなる。よって、上記形態は、モールド樹脂部によって巻回部と保持部材とをより強固に結合することが可能である。
【００２０】
また、上記形態は、巻回部と内側コア部との間の周方向の残部にポッティング樹脂部が介在することで、内側コア部の放熱性を確保することが可能である。
【００２１】
（４）上記リアクトルの一形態として、
前記巻回部の外周面は、前記モールド樹脂部に覆われずに露出されていることが挙げられる。
【００２２】
巻回部の外周面がモールド樹脂部に覆われていないことで、巻回部から放熱し易くなる。よって、上記形態は、コイルの放熱性が向上する。
【００２３】
（５）上記リアクトルの一形態として、
前記内側コア及び前記外側コア部の少なくとも一方は、軟磁性粉末を含む圧粉成形体、又は、軟磁性粉末が樹脂中に分散された複合材料で構成されていることが挙げられる。
【００２４】
内側コア部及び外側コア部は、軟磁性材料を含む成形体で構成することが挙げられる。上記圧粉成形体は、軟磁性粉末を圧縮成形したものである。上記複合材料は、軟磁性粉末を樹脂中に分散させて成形したものである。圧粉成形体は、複合材料に比較してコア片に占める軟磁性粉末の割合が高く、同じ軟磁性粉末を用いたとしても、磁気特性（比透磁率や飽和磁束密度）が高くなる。複合材料は、樹脂中の軟磁性粉末の含有量を調整することによって、磁気特性を制御し易い。
【００２５】
内側コア部及び外側コア部の構成材料は同じであってもよいし、異なってもよい。内側コア部及び外側コア部の構成材料を異ならせる場合、例えば、内側コア部を複合材料で構成し、外側コア部を圧粉成形体で構成することが挙げられる。内側コア部を圧粉成形体で構成し、外側コア部を複合材料で構成することも可能である。内側コア部及び外側コア部の構成材料は、リアクトルのインダクタンスが所定の値となるように適宜選択すればよい。
【００２６】
［本開示の実施形態の詳細］
本開示の実施形態に係るリアクトルの具体例を、以下に図面を参照しつつ説明する。図中の同一符号は同一名称物を示す。各図面では、説明の便宜上、構成の一部を誇張又は簡略化して示す場合がある。図面における各部の寸法比も実際と異なる場合がある。なお、本発明はこれらの例示に限定されるものではなく、特許請求の範囲によって示され、特許請求の範囲と均等の意味および範囲内でのすべての変更が含まれることが意図される。
【００２７】
［実施形態１］
＜概要＞
図１〜図７を参照して、実施形態１係るリアクトル１Ａを説明する。リアクトル１Ａは、図１に示すように、コイル２と、磁性コア３と、保持部材４１、４２と、ケース５と、ポッティング樹脂部６とを備える。また、リアクトル１Ａは、モールド樹脂部８を備える（図２、図３も参照）。コイル２は、図１に示すように、並列に配置される２つの巻回部２１を有する。磁性コア３は、図２、図３に示すように、巻回部２１の内側に配置される内側コア部３１と、巻回部２１の外側に配置される外側コア部３３とを有する。保持部材４１、４２は、両巻回部２１の両端に配置される。モールド樹脂部８は、図４に示すように、コイル２と保持部材４１、４２とを一体化する。ケース５は、図１に示すように、コイル２、磁性コア３及び保持部材４１、４２を含む組合体１０を収納する。ケース５は、図２、図３に示すように、底板部５１と側壁部５２とで組合体１０の収納空間が形成され、底板部５１と対向する側に開口部５５が形成された有底筒状の容器である。ポッティング樹脂部６は、ケース５内に充填され、組合体１０の少なくとも一部を封止する。
【００２８】
実施形態１に係るリアクトル１Ａの特徴の一例には、次の構成が挙げられる。
（１）ポッティング樹脂部６の熱伝導率はモールド樹脂部８の熱伝導率よりも高い。
（２）図４に示すように、モールド樹脂部８は、互いに一体に構成された第一領域８１と第二領域８２とを備える。第一領域８１は、巻回部２１の内周面の少なくとも一部を覆う。第二領域８２は、保持部材４１、４２が巻回部２１の各端面から離れないように保持部材４１、４２に引っ掛けられる。
（３）図２、図３に示すように、巻回部２１と内側コア部３１との間に、モールド樹脂部８（第一領域８１）とポッティング樹脂部６とが併存している。
【００２９】
この例では、図１に示すように、組合体１０が、コイル２の両巻回部２１の並列方向及び軸方向が底板部５１（図２）と平行となるようにケース５に収納されている。図４では、コイル２と保持部材４１、４２とがモールド樹脂部８に一体化されたコイル部品２０を示している。以下の説明では、底板部５１側を下とし、底板部５１側とは反対側（開口部５５側）を上とする。この上下方向（図２、図３の紙面上下方向）を高さ方向とする。巻回部２１の並列方向に沿った方向（図２の紙面左右方向）を幅方向とする。巻回部２１の軸方向に沿った方向（図３の紙面左右方向）を長さ方向とする。なお、図６において、図面を分かり易くするため、内側コア部３１、及びモールド樹脂部８の第一領域８１（凸部４４に隠れている部分を除く）にハッチングを付している（図８も同じ）。また、図７においては、モールド樹脂部８の第一領域８１（凸部４４に隠れている部分を除く）にハッチングを付している。
【００３０】
以下、リアクトル１Ａの構成について詳しく説明する。
【００３１】
（コイル）
コイル２は、図１及び図５に示すように、一対の巻回部２１を有する。各巻回部２１は巻線を螺旋状に巻回してなる。両巻回部２１を形成するそれぞれの巻線の一方の端部同士は接続片２３を介して接続されている。両巻回部２１は、互いの軸方向が平行するように横並びに（並列）に配置されている。接続片２３は、例えば溶接や半田付け、ロウ付けなどの接合方法によって、各巻回部２１を構成する巻線の一方の端部に接合されている。巻線の他方の端部はそれぞれ、各巻回部２１から適宜な方向（この例では上方）に引き出され、端子金具（図示せず）が適宜取り付けられる。端子金具には、電源などの外部装置（図示せず）に電気的に接続される。この例では、各巻回部２１が別々の巻線を巻回して形成されているが、両巻回部２１が１本の連続する巻線で形成されていてもよい。コイル２は、公知のものを利用できる。
【００３２】
巻線は、導体線と、絶縁被覆とを有する被覆線が挙げられる。導体線の構成材料は、銅などが挙げられる。絶縁被覆の構成材料は、ポリアミドイミドなどの樹脂が挙げられる。被覆線としては、断面形状が長方形状の被覆平角線や、断面形状が円形状の被覆丸線などが挙げられる。
【００３３】
両巻回部２１は、同じ仕様の巻線からなり、形状、大きさ、巻回方向、ターン数が同じである。この例では、巻回部２１は、被覆平角線をエッジワイズ巻きした四角筒状（具体的には、矩形筒状）のエッジワイズコイルである（図５参照）。巻回部２１の形状は、特に限定されるものではなく、例えば、円筒状や楕円筒状、長円筒状などであってもよい。また、両巻回部２１を形成する巻線の仕様や、両巻回部２１の形状などは異ならせてもよい。
【００３４】
この例では、図４に示すように、巻回部２１の外周面がモールド樹脂部８で覆われておらず、組合体１０（コイル部品２０）の状態では、巻回部２１の外周面が露出されている。そのため、巻回部２１から放熱し易く、コイル２の放熱性が向上する。
【００３５】
（磁性コア）
磁性コア３は、図２、図３に示すように、各巻回部２１の内側に配置される一対の内側コア部３１と、両巻回部２１の外側に配置される一対の外側コア部３３とを有する（図４も参照）。内側コア部３１は、その軸方向の端部が巻回部２１から突出していてもよい。両外側コア部３３は、両内側コア部３１の各端部同士を接続するように設けられる。この例では、内側コア部３１を両端から挟むように外側コア部３３がそれぞれ配置される。磁性コア３は、両内側コア部３１の各端面と外側コア部３３の各内端面３３ｅ（図４）とが接続されることによって、環状に構成されている。内側コア部３１の各端面と外側コア部３３の各内端面３３ｅとが接着されていてもよい。磁性コア３には、コイル２を励磁した際に磁束が流れ、閉磁路が形成される。
【００３６】
（内側コア部）
内側コア部３１の形状は、巻回部２１の内周形状に概ね対応した形状である。この例では、内側コア部３１の形状が四角柱状（矩形柱状）であり、内側コア部３１を軸方向から見た端面形状が矩形状である（図４も参照）。内側コア部３１の角部は面取りされている。両内側コア部３１の形状、大きさは同じである。また、この例では、内側コア部３１の両端部が巻回部２１の端面から突出している。この巻回部２１から突出する端部も内側コア部３１に含まれる。巻回部２１から突出する内側コア部３１の両端部は、図３に示すように、後述する保持部材４１、４２の各貫通孔４３に挿入される。
【００３７】
この例では、内側コア部３１は、１つの柱状のコア片で構成されている。内側コア部３１を構成するコア片は、巻回部２１の軸方向の全長と略等しい長さを有する。なお、内側コア部３１は、複数のコア片と、隣り合うコア片間に介在されるギャップ材とで構成してもよい。
【００３８】
（外側コア部）
外側コア部３３の形状は、両内側コア部３１の各端部同士を繋ぐ形状であれば、特に限定されない。外側コア部３３は、両内側コア部３１の各端面に対向する内端面３３ｅ（図４）を有する。この例では、外側コア部３３の形状が略台形柱状である。両外側コア部３３の形状、大きさは同じである。外側コア部３３は、１つの柱状のコア片で構成されている。
【００３９】
〈構成材料〉
内側コア部３１及び外側コア部３３は、軟磁性材料を含む成形体で構成されている。軟磁性材料としては、鉄や鉄合金（例、Ｆｅ−Ｓｉ合金、Ｆｅ−Ｎｉ合金など）といった金属、フェライトなどの非金属が挙げられる。軟磁性材料を含む成形体としては、軟磁性材料からなる粉末（軟磁性粉末）を圧縮成形した圧粉成形体や、軟磁性粉末を樹脂中に分散させて成形した複合材料などが挙げられる。複合材料は、未固化の樹脂中に軟磁性粉末を混合した原料を金型に充填し、樹脂を固化させることで得られる。圧粉成形体は、複合材料に比較して、コア片に占める軟磁性粉末の割合が高い。複合材料は、樹脂中の軟磁性粉末の含有量を調整することによって、磁気特性（比透磁率や飽和磁束密度）を制御し易い。
【００４０】
軟磁性粉末は、軟磁性粒子の集合体である。軟磁性粒子は、その表面に絶縁被覆を有する被覆粒子であってもよい。絶縁被覆の構成材料は、リン酸塩などが挙げられる。複合材料の樹脂は、例えば、エポキシ樹脂、フェノール樹脂、シリコーン樹脂、ウレタン樹脂などの熱硬化性樹脂や、ポリフェニレンスルフィド（ＰＰＳ）樹脂、ポリアミド（ＰＡ）樹脂（例、ナイロン６、ナイロン６６、ナイロン９Ｔなど）、液晶ポリマー（ＬＣＰ）、ポリイミド（ＰＩ）樹脂、フッ素樹脂（例、ポリテトラフルオロエチレン（ＰＴＦＥ）樹脂）などの熱可塑性樹脂が挙げられる。
【００４１】
内側コア部３１及び外側コア部３３の少なくとも一方は、圧粉成形体、又は、複合材料で構成されていることが挙げられる。内側コア部３１と外側コア部３３の構成材料は、同じであってもよいし、異なってもよい。例えば、内側コア部３１及び外側コア部３３を複合材料で構成し、それぞれの軟磁性粉末の材質や含有量を異ならせることも可能である。また、内側コア部３１を複合材料で構成し、外側コア部３３を圧粉成形体で構成したり、あるいは、内側コア部３１を圧粉成形体で構成し、外側コア部３３を複合材料で構成したりすることも可能である。この例では、内側コア部３１が複合材料で構成され、外側コア部３３が圧粉成形体で構成されている。本例の磁性コア３は、ギャップ材を有していない。
【００４２】
（保持部材）
保持部材４１、４２は、図３及び図５に示すように、巻回部２１の両端面に対向するようにそれぞれ配置される。保持部材４１、４２は、コイル２（巻回部２１）及び内側コア部３１の位置決め状態を保持する。また、保持部材４１、４２は、コイル２及び磁性コア３の電気的絶縁を確保する。保持部材４１、４２の基本的な構成は同じである。この例では、図５に示すように、保持部材４１、４２の形状が矩形枠状である。
【００４３】
保持部材４１、４２は、図３に示すように、巻回部２１の端面と外側コア部３３の内端面３３ｅとの間にそれぞれ配置され、巻回部２１と外側コア部３３との間の電気的絶縁を確保する。各保持部材４１、４２は、一対の貫通孔４３を有する。各貫通孔４３には、各内側コア部３１の端部が挿入される。貫通孔４３の形状は、内側コア部３１の端部の外周形状に概ね対応した形状である。貫通孔４３に内側コア部３１の端部が挿入されることで、内側コア部３１が保持される。貫通孔４３は、内側コア部３１の端部が挿入された状態で、内側コア部３１の外周面と貫通孔４３の内周面との間に部分的に隙間４３ｃ（図６、図７）が形成されるように設けられている。この隙間４３ｃは、巻回部２１の内周面と内側コア部３１の外周面との間の隙間に連通する。この例では、図５及び図６に示すように、貫通孔４３の四隅の部分が外側に凹んでおり、貫通孔４３の四隅の中央部分が凸部４４になっている。この凸部４４に内側コア部３１の外周面が接することによって、貫通孔４３内に内側コア部３１が保持される。
【００４４】
保持部材４１、４２は、図５に示すように、巻回部２１の端面側に貫通孔４３の周縁部から巻回部２１の内側に向かって突出する保持片４５を有する。この例では、保持片４５が貫通孔４３の凸部４４の位置に設けられており、巻回部２１の内周面に配置される（図４も参照）。保持片４５は、巻回部２１と内側コア部３１との間に挿入される。保持片４５によって巻回部２１と内側コア部３１とが間隔をあけて保持され、巻回部２１と内側コア部３１との間の電気的絶縁を確保する。
【００４５】
〈構成材料〉
保持部材４１、４２は、電気絶縁材料で構成されている。電気絶縁材料としては、代表的には樹脂が挙げられる。具体的には、エポキシ樹脂、フェノール樹脂、シリコーン樹脂、ウレタン樹脂、不飽和ポリエステル樹脂などの熱硬化性樹脂や、ＰＰＳ樹脂、ＰＡ樹脂、ＬＣＰ、ＰＩ樹脂、フッ素樹脂（例、ＰＴＦＥ樹脂）、ポリブチレンテレフタレート（ＰＢＴ）樹脂、アクリロニトリル−ブタジエン−スチレン（ＡＢＳ）樹脂などの熱可塑性樹脂が挙げられる。この例では、保持部材４１、４２がＰＰＳ樹脂で構成されている。
【００４６】
（モールド樹脂部）
モールド樹脂部８は、図４に示すように、コイル２と保持部材４１、４２とを一体化する。モールド樹脂部８によってコイル２と保持部材４１、４２とが一体化されることによりコイル部品２０が構成される。モールド樹脂部８は、第一領域８１と第二領域８２とを備える。第一領域８１と第二領域８２とは、互いに一体に構成されている。第一領域８１は、巻回部２１の内周面の少なくとも一部を覆う。第二領域８２は、保持部材４１、４２が巻回部２１の端面から離れないように保持部材４１、４２に引っ掛けられる。この例では、第一領域８１が巻回部２１の内周面の全周（但し、保持片４５に面する部分を除く）を覆うように設けられている（図２も参照）。また、この例では、第二領域８２が、巻回部２１の内周面から保持部材４１、４２の貫通孔４３を通って、保持部材４１、４２の外側コア部３３に対向する面（対向面４７）側に回り込むように設けられている。つまり、保持部材４１、４２が巻回部２１の端面と第二領域８２との間に挟まれている。第二領域８２が保持部材４１、４２の対向面４７側に回り込むことによって、第二領域８２が保持部材４１、４２に引っ掛かるように構成されている。第二領域８２が保持部材４１、４２に引っ掛けられることで、モールド樹脂部８によって巻回部２１と保持部材４１、４２とが機械的に結合されている。
【００４７】
第二領域８２が保持部材４１、４２に引っ掛けられるとは、第二領域８２が第一領域８１から巻回部２１の軸方向と交差する方向に突出し、保持部材４１、４２が巻回部２１の端面から離れる方向への移動を規制するものである。
【００４８】
本例の第二領域８２は、保持部材４１、４２の対向面４７の外周縁に沿って枠状に形成されており、その内側が凹部８５になっている。この凹部８５内に外側コア部３３の内端面３３ｅ側が収納される。
【００４９】
本例の第一領域８１は、図３に示すように、巻回部２１の内周面の全長にわたって連続して設けられている。つまり、一方の保持部材４１の対向面４７に設けられた第二領域８２と、他方の保持部材４２の対向面４７に設けられた第二領域８２とは、第一領域８１を介して繋がっている。そのため、モールド樹脂部８によって巻回部２１と保持部材４１、４２とをより強固に結合することができる。また、上述したように、第一領域８１は巻回部２１の内周面の全周を覆うように設けられている。そのため、第一領域８１と巻回部２１の内周面との接触面積が増えるので、第一領域８１と巻回部２１との接合強度が高くなる。この点でも、モールド樹脂部８によって巻回部２１と保持部材４１、４２とをより強固に結合することが可能である。また、本例の第一領域８１の厚さは、図６に示すように、保持部材４１、４２の貫通孔４３に設けられた凸部４４の突出高さよりも薄い。つまり、巻回部２１の軸方向から見たとき、凸部４４の両側には第一領域８１との間に段差が形成される。そのため、貫通孔４３に内側コア部３１を挿入した状態で、貫通孔４３の四隅の部分に隙間４３ｃが形成される。なお、本例では、保持部材４１、４２に凸部４４及び保持片４５を設けている（図５参照）が、後述するように、保持部材４１、４２が凸部４４及び保持片４５を備えない構成とすることも可能である。また、第一領域８１の厚さは、凸部４４の突出高さと同じ、又は凸部４４を覆う厚さとすることも可能である。第一領域８１の厚さとは、貫通孔４３の（即ち巻回部２１）の内周面からその面に直交する方向（内側コア部３１側へ向かう方向）の距離をいう。第一領域８１が凸部４４を覆う場合、第一領域８１の厚さが凸部４４の突出高さよりも厚い。
【００５０】
第一領域８１は、コイル２と保持部材４１、４２とを一体に保持できれば、巻回部２１の両端部の近傍にのみ設けられていてもよい。つまり、第一領域８１は、巻回部２１の軸方向の中央部まで及んでいなくてもよい。
【００５１】
〈構成材料〉
モールド樹脂部８の構成材料（以下、「モールド材料」という場合がある）は、上述した保持部材４１、４２の構成材料と同様のものを用いることができる。この例では、モールド樹脂部８がＰＰＳ樹脂で構成されている。
【００５２】
（ケース）
ケース５は、図１〜図３に示すように、コイル２、磁性コア３及び保持部材４１、４２を含む組合体１０を収納する。ケース５によって、組合体１０の機械的保護及び外部環境からの保護（防食性の向上）を図ることができる。本例のケース５は、金属で構成されている。金属製のケース５は、樹脂よりも熱伝導率が高く、組合体１０の熱をケース５を介して外部に放熱し易い。よって、金属製のケース５は、組合体１０の放熱性の向上に寄与する。
【００５３】
ケース５は、底板部５１と、側壁部５２と、開口部５５とを有する。底板部５１は、組合体１０が載置される平板部材である。側壁部５２は、組合体１０の周囲を囲む角筒状体である。この例では、底板部５１と側壁部５２とが一体に形成されている。ケース５（側壁部５２）は、組合体１０（巻回部２１）の高さと同等以上の高さを有する。この例では、底板部５１は矩形板状である。また、側壁部５２は矩形筒状である（図１参照）。底板部５１内底面及び側壁部５２の内周面は実質的に平面で構成されている。
【００５４】
〈構成材料〉
ケース５は非磁性の金属で構成されている。非磁性金属としては、例えばアルミニウムやその合金、マグネシウムやその合金、銅やその合金、銀やその合金、オーステナイト系ステンレス鋼などが挙げられる。これらの金属は熱伝導率が比較的高い。そのため、ケース５を放熱経路に利用でき、組合体１０の熱を外部に効率よく放熱できる。よって、組合体１０の放熱性が向上する。ケース５を構成する材料としては、金属以外にも樹脂などを用いることができる。
【００５５】
金属製のケース５はダイキャストで製造できる。本例のケース５はアルミニウム製のダイキャスト品により構成されている。
【００５６】
（ポッティング樹脂部）
ポッティング樹脂部６は、ケース５内に充填されて、組合体１０の少なくとも一部を封止する。ポッティング樹脂部６によって、組合体１０の機械的保護及び外部環境からの保護（防食性の向上）を図ることができる。この例では、ポッティング樹脂部６がケース５の開口端まで充填されていて、組合体１０の全体がポッティング樹脂部６に封止されている。組合体１０の一部のみがポッティング樹脂部６に封止されていてもよい。例えば、巻回部２１の内周面の上面の高さまでポッティング樹脂部６で封止されていたり、巻回部２１の高さの半分程度までポッティング樹脂部６で封止されていることが挙げられる。また、ポッティング樹脂部６は、コイル２（巻回部２１）とケース５（側壁部５２）との間に介在される。これにより、コイル２の熱をポッティング樹脂部６を介してケース５に伝えることができ、組合体１０の放熱性を向上できる。
【００５７】
更に、ポッティング樹脂部６は、図２、図３に示すように、巻回部２１と内側コア部３１との間にも充填されている。つまり、巻回部２１と内側コア部３１との間に、モールド樹脂部８の第一領域８１とポッティング樹脂部６とが併存している。この例では、上述したように、第一領域８１が巻回部２１の内周面の全周を覆うように設けられている。そのため、巻回部２１と内側コア部３１との間に、ポッティング樹脂部６と第一領域８１とが積層状態で介在する。この場合、内側コア部３１の放熱経路は、内側コア部３１→ポッティング樹脂部６→モールド樹脂部８（第一領域８１）→巻回部２１となる。したがって、巻回部２１と内側コア部３１との間にモールド樹脂部８（第一領域８１）のみが介在する場合に比較して、内側コア部３１の熱を巻回部２１に効率よく伝えることができる。これは、ポッティング樹脂部６の熱伝導率はモールド樹脂部８の熱伝導率よりも高いからである。
【００５８】
〈構成材料〉
一般に、ポッティング樹脂部６の構成材料（以下、「ポッティング材料」という場合がある）に要求される特性としては、電気的絶縁性、耐候性、耐熱性などが挙げられるが、最も重要な特性の１つは熱伝導特性である。そのため、ポッティング材料は、熱伝導率を高めるためのフィラーを含有するなど、成分が調整されている。一方、モールド樹脂部８の構成材料（モールド材料）に要求される最も重要な特性の１つは強度特性である。そのため、モールド材料は、基本的にポッティング材料よりも熱伝導率が低い。モールド樹脂部８（モールド材料）の熱伝導率は、例えば０．２Ｗ／ｍ・Ｋ〜０．４Ｗ／ｍ・Ｋ程度である。これに対し、ポッティング樹脂部６（ポッティング材料）の熱伝導率は、例えば１Ｗ／ｍ・Ｋ以上、更に１．５Ｗ／ｍ・Ｋ以上である。ポッティング樹脂部６の熱伝導率は高いほど好ましい。コイル２の熱をケース５に伝達させ易いからである。
【００５９】
ポッティング材料は、例えば、基材となる樹脂に、上述したフィラーが分散されたものである。基材となる樹脂は、エポキシ樹脂、シリコーン樹脂、ウレタン樹脂、不飽和ポリエステル樹脂などの熱硬化性樹脂や、ＰＰＳ樹脂などの熱可塑性樹脂が挙げられる。この例では、基材となる樹脂がシリコーン樹脂（より具体的には、シリコーンゲル）である。フィラーとしては、例えば、アルミナ、シリカ、酸化マグネシウムなどの酸化物、窒化珪素、窒化アルミニウム、窒化ホウ素などの窒化物、炭化珪素などの炭化物といったセラミックスやカーボンナノチューブなどの非磁性粉末を利用できる。
【００６０】
巻回部２１と内側コア部３１との間にポッティング樹脂部６が充填される理由は、次のとおりである。
図７に示すように、コイル部品２０における保持部材４１の対向面４７（図４）に外側コア部３３を配置する。モールド樹脂部８における第二領域８２の凹部８５に外側コア部３３の内端面３３ｅ（図４）側が嵌め込まれた状態で、外側コア部３３の外周面と凹部８５の内周面との間に部分的に隙間が形成されている。外側コア部３３と凹部８５との間の隙間は、上述した内側コア部３１と貫通孔４３との間の隙間４３ｃと連通する。これらの隙間が連通することにより、ケース５内に組合体１０を収納した状態でポッティング材料を充填した際（図１参照）、巻回部２１と内側コア部３１との間にもポッティング材料が導入される。
【００６１】
その他、組合体１０と底板部５１との間に接着層（図示せず）を備えてもよい。接着層により、組合体１０をケース５に強固に固定できる。接着層は、電気絶縁樹脂で構成することが挙げられる。接着層を構成する電気絶縁樹脂としては、例えば、エポキシ樹脂、シリコーン樹脂、不飽和ポリエステル樹脂などの熱硬化性樹脂や、ＰＰＳ樹脂、ＬＣＰなどの熱可塑性樹脂が挙げられる。接着層は、市販の接着シートを利用したり、市販の接着剤を塗布して形成してもよい。
【００６２】
＜製造方法＞
上述したリアクトル１Ａの製造方法の一例を説明する。リアクトル１Ａは、以下の第１〜第２の工程を備える製造方法により製造できる。
第１の工程．組合体１０とケース５とを用意する工程
第２の工程．ケース５内に組合体１０を収納した状態でポッティング樹脂部６を形成する工程
【００６３】
（第１の工程）
第１の工程では、組合体１０を用意する（図４、図５参照）。組合体１０は、図４に示すように、コイル部品２０と磁性コア３とを組み付けて作製する。コイル部品２０は、モールド樹脂部８によってコイル２と保持部材４１、４２とを予め一体化しておく。コイル部品２０は、図５に示すようにコイル２と保持部材４１、４２とを組み付けて巻回部２１の両端に保持部材４１、４２に配置した状態で、モールド樹脂部８を成形することにより作製できる。モールド樹脂部８の成形は、例えば射出成形を利用することができる。具体的には、コイル２と保持部材４１、４２組物を金型に入れ、巻回部２１の内側に中子を挿入する。金型と中子とは別体であってもよいし、中子を備えるスライド金型であってもよい。この状態で、金型にモールド材料を注入してモールド樹脂部８（第一領域８１及び第二領域８２）を成形する。この例では、巻回部２１の内周面の全周を第一領域８１で覆うように成形する。組合体１０は、図４に示すように、コイル部品２０における保持部材４１、４２の貫通孔４３に内側コア部３１を挿入して、巻回部２１の内側に内側コア部３１を配置する。その後、内側コア部３１を両端から挟むように外側コア部３３を配置する。このとき、内側コア部３１の端面と外側コア部３３の内端面３３ｅとを接着してもよいし、保持部材４１、４２の対向面４７と外側コア部３３の内端面３３ｅとを接着してもよい。
【００６４】
用意するケース５は、例えば非磁性の金属で構成されている。この例では、ケース５がアルミニウム製のダイキャスト品である。
【００６５】
（第２の工程）
第２の工程では、ケース５内に組合体１０を収納した状態でポッティング樹脂部６を形成する。具体的には、図１に示すように、ケース５内に組合体１０を収納した状態でポッティング材料を充填し、ポッティング樹脂部６を形成する。例えば、ケース５の開口部５５から組合体１０と側壁部５２との間の隙間にノズルを挿入し、ノズルを通してポッティング材料を注入することが挙げられる。ケース５内にポッティング材料を充填した際、ポッティング材料の一部は、上述したように、外側コア部３３と凹部８５との間の隙間と、内側コア部３１と貫通孔４３との間の隙間４３ｃとを通って、巻回部２１と内側コア部３１との間に充填される（図７参照）。本例の場合、図２、図３に示すように、巻回部２１と内側コア部３１との間にポッティング樹脂部６と第一領域８１とが積層状態で介在することになる。
【００６６】
ポッティング材料の充填は、真空状態で行うことが好ましい。例えば、組合体１０を収納したケース５を真空槽に入れ、真空状態でケース５内にポッティング材料を注入する。真空状態でポッティング材料を注入することで、ポッティング樹脂部６に気泡が発生することを抑制できる。
【００６７】
ケース５内にポッティング材料を充填した後、ポッティング材料を固化させることで、ポッティング樹脂部６（図１）を形成する。ポッティング材料の固化は、使用する材料に応じて適宜な条件で行えばよい。
【００６８】
本例では、保持部材４１、４２が凸部４４及び保持片４５を備える構成としているが、凸部４４及び保持片４５は必須の構成ではない。本例の場合、凸部４４及び保持片４５によって、貫通孔４３内に内側コア部３１を保持すると共に、巻回部２１と内側コア部３１との間隔を保持している。そして、凸部４４及び保持片４５により巻回部２１内に内側コア部３１を支持することによって、巻回部２１と内側コア部３１との間（具体的には第一領域８１と内側コア部３１との間）にポッティング樹脂部６を充填する隙間を形成している。しかし、外側コア部３３に内側コア部３１を接着するなどして、外側コア部３３と内側コア部３１とを一体化しておくことで、巻回部２１と内側コア部３１との間に上記隙間を形成することが可能である。
【００６９】
例えば、上記第１の工程において、組合体１０を構成する際、一方の外側コア部３３と一方の内側コア部３１とを接着して一体化した第一コア部品とする。第一コア部品の内側コア部３１を、コイル部品２０の一方側から保持部材４１、４２の貫通孔４３に挿入して、巻回部２１の内側に配置する。他方の外側コア部３３ともう一方の内側コア部３１とを接着して一体化した第二コア部品とする。第二コア部品の内側コア部３１を、コイル部品２０の他方側から保持部材４１、４２の貫通孔４３に挿入して、巻回部２１の内側に配置する。この場合、内側コア部３１が外側コア部３３に固定されていることから、保持部材４１、４２に凸部４４及び保持片４５がなくても、巻回部２１と内側コア部３１との間に上記隙間を設けた状態で内側コア部３１を位置決めできる。凸部４４の有無に関係なく、巻回部２１と内側コア部３１との間に上記隙間を設けることができるので、第一領域８１の厚さは凸部４４の突出高さに制約されない。そのため、第一領域８１の厚さを、凸部４４を覆う厚さとする（凸部４４の突出高さよりも厚くする）ことも可能である。
【００７０】
｛主要な効果｝
実施形態１のリアクトル１Ａは以下の効果を奏する。
巻回部２１と内側コア部３１との間にポッティング樹脂部６とモールド樹脂部８の第一領域８１とが積層状態で介在する。そのため、リアクトル１Ａは、内側コア部３１の熱を巻回部２１に効率よく伝えることができる。よって、リアクトル１Ａは放熱性に優れる。
【００７１】
コイル２と保持部材４１、４２とがモールド樹脂部８によって一体化されている。そのため、コイル２と保持部材４１、４２とを一体物として取り扱うことができるので、コイル２に磁性コア３（内側コア部３１及び外側コア部３２）を組み付ける作業が行い易い。また、コイル２と保持部材４１、４２とが一体化されていることで、ケース５内に組合体１０を収納するとき、組合体１０を安定して配置できる。よって、リアクトル１Ａは組立性に優れる。
【００７２】
また、モールド樹脂部８の第一領域８１が巻回部２１の内周面の全周を覆うように設けられている。そのため、第一領域８１と巻回部２１との接合強度が高くなる。よって、リアクトル１Ａは、モールド樹脂部８によって巻回部２１と保持部材４１、４２とをより強固に結合することが可能である。
【００７３】
｛用途｝
リアクトル１Ａは、電圧の昇圧動作や降圧動作を行う回路の部品に利用できる。リアクトル１Ａは、例えば、種々のコンバータや電力変換装置の構成部品などに利用できる。コンバータの一例としては、ハイブリッド自動車、プラグインハイブリッド自動車、電気自動車、燃料電池自動車等の車両に搭載される車載用コンバータ（代表的にはＤＣ−ＤＣコンバータ）や、空調機のコンバータなどが挙げられる。
【００７４】
＜変形例＞
上述したリアクトル１Ａでは、図４に示すように、モールド樹脂部８の第二領域８２が保持部材４１、４２の対向面４７側に回り込むように設けられている場合を例示した。第二領域８２は保持部材４１、４２に引っ掛けられる構成であれば、第二領域８２の形成箇所などは特に限定されない。例えば、保持部材４１、４２の貫通孔４３の内周面に穴を設けておき、この穴に第二領域８２が入り込むように設けられていることが挙げられる。あるいは、保持部材４１、４２の対向面４７側において、保持部材４１、４２の貫通孔４３の周縁部に凹部を設けておき、この凹部に第二領域８２が入り込むように設けられていることが挙げられる。いずれの場合であっても、第二領域８２が、保持部材４１、４２が巻回部２１の端面から離れないように保持部材４１、４２に引っ掛けられるように構成することが可能である。
【００７５】
［実施形態２］
図８を参照して、実施形態２に係るリアクトル１Ｂを説明する。実施形態２では、第一領域８１が巻回部２１と内側コア部３１との間の周方向の一部に存在し、ポッティング樹脂部６が巻回部２１と内側コア部３１との間の周方向の残部に存在する形態を説明する。以下の説明は、上述した実施形態１との相違点を中心に行い、同様の事項についてはその説明を省略する。
【００７６】
リアクトル１Ｂは、図８に示すように、モールド樹脂部８の第一領域８１が巻回部２１の内周面の一部を覆うように設けられている。この例では、第一領域８１が、巻回部２１の内周面のうち上半分の領域を覆うように設けられている。そのため、第一領域８１は、巻回部２１と内側コア部３１との間の上半分に存在する。また、巻回部２１と内側コア部３１との間の残部、即ち下半分にポッティング樹脂部６が存在する。リアクトル１Ｂは、巻回部２１と内側コア部３１との間の残部（この例では下半分）にポッティング樹脂部６が介在することで、内側コア部３１の放熱性を確保できる。リアクトル１Ｂにおいて、第二領域８２は、実施形態１のリアクトル１Ａと同様に、保持部材４１、４２の対向面４７の外周縁に沿って枠状に形成されている（図３、図４参照）。
【００７７】
本例の第一領域８１の厚さは、図６に示す保持部材４１、４２の貫通孔４３に設けられた凸部４４の突出高さと同等である。つまり、巻回部２１の内周面と内側コア部３１の外周面との間隔と略等しい。また、第二領域８２は、第一領域８１から保持部材４１の貫通孔４３の上側部分を通って対向面４７側に回り込み、対向面４７の外周縁に沿って枠状に形成される。なお、上述したように、第一領域８１の厚さは、凸部４４の突出高さと同等でなくてもよく、凸部４４を覆う厚さであってもよい。
【００７８】
リアクトル１Ｂは、巻回部２１と内側コア部３１との間の周方向の一部（この例では上半分）に第一領域８１が介在する。そのため、リアクトル１Ｂは、実施形態１のリアクトル１Ａのように、巻回部２１と内側コア部３１との間にポッティング樹脂部６と第一領域８１とが積層状態で介在する場合に比較して、第一領域８１が厚くなる。第一領域８１の厚みが厚くなる分、第一領域８１の剛性が高くなる。よって、リアクトル１Ｂは、モールド樹脂部８によって巻回部２１と保持部材４１、４２とをより強固に結合することが可能である。
【００７９】
また、リアクトル１Ｂは、図８に示すように、ポッティング樹脂部６が巻回部２１の高さの半分程度までケース５に充填されている。ポッティング樹脂部６が巻回部２１の高さの半分程度まで充填されていれば、巻回部２１と内側コア部３１との間の下半分にポッティング樹脂部６を存在させることができる。ポッティング樹脂部６が巻回部２１の高さの半分程度までしか充填されていないので、その分、ポッティング材料の使用量を削減できる。一般に、ポッティング材料はモールド材料に比べて材料コストが高い。よって、リアクトル１Ｂは、ポッティング材料の使用量が減少する分、製造コストを削減できる。
【符号の説明】
【００８０】
１Ａ、１Ｂ  リアクトル
１０  組合体
２  コイル
２０  コイル部品
２１  巻回部
２３  接続片
３  磁性コア
３１  内側コア部
３３  外側コア部
３３ｅ  内端面
４１、４２  保持部材
４３  貫通孔
４３ｃ  隙間
４４  凸部
４５  保持片
４７  対向面
５  ケース
５１  底板部
５２  側壁部
５５  開口部
６  ポッティング樹脂部
８  モールド樹脂部
８１  第一領域
８２  第二領域
８５  凹部
【図１】
2020194923.tif 000003
【図２】
2020194923.tif 000004
【図３】
2020194923.tif 000005
【図４】
2020194923.tif 000006
【図５】
2020194923.tif 000007
【図６】
2020194923.tif 000008
【図７】
2020194923.tif 000009
【図８】
2020194923.tif 000010